(57)【要約】【課題】移動通信システムにおけるシステム規模の増大を回避すること。【解決手段】ＵＥ１０１は、ＢＳ１０２−１〜１０２−３と無線回線を介して通信を行う。ＢＳ１０２−１〜１０２−３及びＢＳ１０３−１〜１０３−３は、自装置を制御する上位制御装置の制御に従って、自セルに存在するＵＥと無線通信を行う。セル対応サーバ１０５−１及び１０５−２は、配下のＢＳの無線リソース管理や新規の無線チャネルの割り当て判定などのセルに対応する制御系の処理と、共通チャネルのためのＭＡＣ―ｃ処理などのセルに対応する通話路系の処理を行う。端末対応制御サーバ１０７は、移動端末のハンドオーバ制御や移動端末との間の無線リソース制御（ＲＲＣ）処理などを行う。端末対応ベアラサーバ１０８は、無線レイヤ２のＭＡＣ−ｄ処理、ＲＬＣ処理、ＰＤＣＰ処理などを行う。【選択図】      図１
2004241897.tif 000002
【特許請求の範囲】
【請求項１】
基地局装置の制御を行う無線ネットワーク制御装置を機能毎に複数の装置に分割した無線ネットワーク制御装置であって、
通信端末装置に対応する制御系処理を行う端末対応制御サーバと、
前記通信端末装置に対応する通話路系処理を行う端末対応ベアラサーバと、
セルに対応する制御系処理及び通話路系処理を単独で行い、通信端末装置からの接続要求を受信すると、前記端末対応ベアラサーバとの間にユーザ情報を転送するための通信経路を設定するセル対応サーバ装置と、
を具備することを特徴とする無線ネットワーク制御装置。
【請求項２】
セルに対応する制御系処理及び通話路系処理を単独で行い、通信端末装置からの通信開始要求を受信すると、前記通信端末装置に対応する通話路系処理を行う端末対応ベアラサーバとの間にユーザ情報を転送するための通信経路を設定することを特徴とするセル対応サーバ装置。
【請求項３】
セル対応サーバ装置が通信端末装置からの接続要求を受信する工程と、
前記接続要求を受信すると、セルに対応する制御系及び通話路系の処理を行う工程と、
前記通信端末装置に対応する通話路系処理を行う端末対応ベアラサーバとの間にユーザ情報を転送するための通信経路を設定する工程と、
を具備することを特徴とする通信方法。
【請求項４】
セル対応サーバ装置が通信端末装置からの接続要求を受信するステップ、
前記接続要求を受信すると、セルに対応する制御系及び通話路系の処理を行うステップ、
前記通信端末装置に対応する通話路系処理を行う端末対応ベアラサーバとの間にユーザ情報を転送するための通信経路を設定するステップとしてコンピュータを機能させるためのプログラム。
【請求項５】
請求項４に記載のプログラムを記録したコンピュータ読み取り可能な記録媒体。
【発明の詳細な説明】
【０００１】
【発明の属する技術分野】
本発明は、移動通信システムにおける無線ネットワーク制御装置に関するものである。
【０００２】
【従来の技術】
非特許文献１には、ＭＷＩＦ（Ｍｏｂｉｌｅ  Ｗｉｒｅｌｅｓｓ  Ｉｎｔｅｒｎｅｔ  Ｆｏｒｕｍ）“ＭＴＲ−００７  Ｏｐｅｎ  ＲＡＮ  Ａｒｃｈｉｔｅｃｔｕｒｅ”（非特許文献２）で開示されている無線アクセスネットワーク・アーキテクチャに基づき、”ＴＳ２５．１１  ＵＴＲＡＮ  Ｏｖｅｒａｌｌ  Ａｒｃｈｉｔｅｃｔｕｒｅ”（非特許文献３）で開示されている無線ネットワーク制御装置（ＲＮＣ）を４種類の装置で実現する構成が開示されている。４種類の装置とは、セル対応制御サーバ、セル対応ベアラサーバ、端末対応制御サーバ、端末対応ベアラサーバであり、収容する移動端末の数量やトラヒック量に応じて、必要な装置について柔軟に増減設することができる。
【０００３】
図４は、非特許文献１で開示されている移動通信システムの構成を示す図である。この図において、ＵＥ（Ｕｓｅｒ  Ｅｑｕｉｐｍｅｎｔ）１１は移動端末であり、ＢＳ（Ｂａｓｅ  Ｓｔａｔｉｏｎ）１２−１〜１２−３、１３−１〜１３−３のいずれか又はこれらのうち複数と無線回線を介して通信を行う。ＢＳ１２−１〜１２−３及びＢＳ１３−１〜１３−３は基地局装置であり、自装置を制御する上位制御装置の制御に従って、自装置の無線ゾーン（以下、セルという）に存在するＵＥと無線通信を行う。ルータ１４−１はＢＳ１２−１〜１２−３から信号を集約し、セル対応制御サーバ１５−１とセル対応ベアラサーバ１６−１に信号を振り分ける。ルータ１４−２もルータ１４−１と同様の構成を有する。
【０００４】
セル対応制御サーバ１５−１及び１５−２は、配下のＢＳの無線リソース管理や新規の無線チャネルの割り当て判定、ＢＳとの間の無線ベアラの設定／解放を制御するためのＮＢＡＰプロトコル処理（３ＧＰＰ規格：ＴＳ２５．４３３  “ＵＴＲＡＮ  Ｉｕｂ  ｉｎｔｅｒｆａｃｅ  ＮＢＡＰ  ｓｉｇｎａｌｉｎｇ”）などを行う。図４では、セル対応制御サーバ１５−１は、ＢＳ１２−１〜１２−３の制御を行い、セル対応制御サーバ１５−２は、ＢＳ１３−１〜１３−３の制御を行う。
【０００５】
セル対応ベアラサーバ１６−１及び１６−２は、配下のＢＳの共通チャネル（ＣＣＨ）のためのＭＡＣ―ｃ処理（３ＧＰＰ規格：ＴＳ２５．３２１  “Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”）、ＢＳとセル対応ベアラサーバ間の有線コネクションの設定／解放のためのＡＬＣＡＰプロトコル処理（ＩＴＵ−Ｔ勧告：Ｑ．２６３０．１  “ＡＡＬ  ｔｙｐｅ  ２  ｓｉｇｎａｌｉｎｇ  ｐｒｏｔｏｃｏｌ  （Ｃａｐａｂｉｌｉｔｙ  Ｓｅｔ  １）”）などを行う。
【０００６】
セル対応制御サーバ及びセル対応ベアラサーバは対で設置され、配下のＢＳについての処理を行う。
【０００７】
端末対応制御サーバ１７は、移動端末のハンドオーバ制御や移動端末との間の無線リソース制御（ＲＲＣ）処理などを行う。端末対応ベアラサーバ１８は、無線レイヤ２のＭＡＣ−ｄ処理（３ＧＰＰ規格：ＴＳ２５．３２１  “Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”）、ＲＬＣ処理（３ＧＰＰ規格：ＴＳ２５．３２２  “Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”）、ＰＤＣＰ処理（３ＧＰＰ規格：ＴＳ２５．３２３  “Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”）などを行う。
【０００８】
端末対応制御サーバ、端末対応ベアラサーバについては、移動端末の呼が発生するたびに、処理を行う装置が選択される。また、システム全体の呼量に応じて増減設することができる。このため、下位のセル対応制御サーバ、セル対応ベアラサーバ、ＢＳとの間に固定的な接続関係は存在しない。
【０００９】
図５は、セル対応制御サーバ１５−１及びセル対応ベアラサーバ１６−１の内部構成を示すブロック図である。この図では、セル対応制御サーバ１５−１及びセル対応ベアラサーバ１６−１の組について示しているが、セル対応制御サーバ１５−２及びセル対応ベアラサーバ１６−２の構成も同様なのでこれらの説明は省略する。
【００１０】
まず、セル対応制御サーバ１５−１の構成について説明する。回線Ｉ／Ｆ部２１は、ＢＳ側に接続される外部回線との接続を仲介する。ＮＢＡＰ処理部２２は、ＢＳとセル対応制御サーバ１５−１との間の制御メッセージの送受信を行うためのＮＢＡＰプロトコル処理（を行う。ＣＲＮＣ処理部２３は、配下のＢＳの拡散コードや送信電力、干渉量などの無線リソース管理、無線チャネルの割当て判定などを行う。ＲＮＳＡＰ処理部２４は、セル対応制御サーバ１５−１と端末対応制御サーバ１７との間の制御メッセージの送受信を行うＲＮＳＡＰプロトコル処理（３ＧＰＰ規格：ＴＳ２５．４２３  “ＵＴＲＡＮ  Ｉｕｒ  ｉｎｔｅｒｆａｃｅ  ＲＮＳＡＰ  ｓｉｇｎａｌｌｉｎｇ”）を行う。回線Ｉ／Ｆ部２５は、端末対応制御サーバ１７に接続される外部回線との接続を仲介する。また、回線Ｉ／Ｆ部２６は、セル対応ベアラサーバ１６−１に接続される外部回線との接続を仲介する。監視・制御部２７は、セル対応制御サーバの監視及び制御を行う。
【００１１】
次に、セル対応ベアラサーバ１６−１の構成について説明する。回線Ｉ／Ｆ部３１は、ＢＳ側に接続される外部回線との接続を仲介する。ＡＬＣＡＰ処理部３２は、ＢＳとセル対応ベアラサーバ間の有線コネクションの設定／解放のためのＡＬＣＡＰプロトコル処理を行う。Ｉｕｂ−ＦＰ処理部３３は、移動端末宛の信号をＢＳとセル対応ベアラサーバ１６−１との間で転送するためのＩｕｂ−ＦＰプロトコル処理（３ＧＰＰ規格：ＴＳ２５．４３４  “ＵＴＲＡＮ  Ｉｕｂ  ｉｎｔｅｒｆａｃｅ  ｄａｔａ  ｔｒａｎｓｐｏｒｔ  ＆  ｔｒａｎｓｐｏｒｔ  ｓｉｇｎａｌｌｉｎｇ  ｆｏｒ  ＣＣＨ  ｄａｔａ  ｓｔｒｅａｍｓ”、ＴＳ２５．４２６  “ＵＴＲＡＮ  Ｉｕｒ  ａｎｄ  Ｉｕｂ  ｉｎｔｅｒｆａｃｅ  ｄａｔａ  ｔｒａｎｓｐｏｒｔ  ＆  ｔｒａｎｓｐｏｒｔ  ｓｉｇｎａｌｌｉｎｇ  ｆｏｒ  ＤＣＨ  ｄａｔａ  ｓｔｒｅａｍｓ”）を行う。ＭＡＣ−ｃ処理部３４は、共通チャネル（ＣＣＨ）に対応したＭＡＣ―ｃ処理を行う。Ｉｕｒ−ＦＰ処理部３５は、移動端末宛の信号をセル対応ベアラサーバ１６−１と端末対応ベアラサーバ１８との間で転送するためのＩｕｒ−ＦＰプロトコル処理（３ＧＰＰ規格：ＴＳ２５．４２５  “ＵＴＲＡＮ  Ｉｕｒ  ｉｎｔｅｒｆａｃｅ  ｕｓｅｒ  ｐｌａｎｅ  ｐｒｏｔｏｃｏｌｓ  ｆｏｒ  ＣＣＨ  ｄａｔａ  ｓｔｒｅａｍｓ”、ＴＳ２５．４２６  “ＵＴＲＡＮ  Ｉｕｒ  ａｎｄ  Ｉｕｂ  ｉｎｔｅｒｆａｃｅ  ｄａｔａ  ｔｒａｎｓｐｏｒｔ  ＆  ｔｒａｎｓｐｏｒｔ  ｓｉｇｎａｌｌｉｎｇ  ｆｏｒ  ＤＣＨ  ｄａｔａ  ｓｔｒｅａｍｓ”）を行う。回線Ｉ／Ｆ部３６は、端末対応ベアラサーバ１８に接続される外部回線との接続を仲介する。また、回線Ｉ／Ｆ部３７は、セル対応制御サーバ１５−１に接続される外部回線との接続を仲介する。監視・制御部３８は、セル対応制御サーバ１６−１の監視及び制御を行う。
【００１２】
図６は、端末対応制御サーバ１７及び端末対応ベアラサーバ１８の内部構成を示すブロック図である。
【００１３】
まず、端末対応制御サーバ１７の構成について説明する。回線Ｉ／Ｆ部４１は、セル対応制御サーバに接続される外部回線との接続を仲介する。ＲＮＳＡＰ処理部４２は、セル対応制御サーバと端末対応制御サーバとの間の制御メッセージの送受信を行うＲＮＳＡＰプロトコル処理（を行う。ＲＲＣ処理部４３は、移動端末と端末対応制御サーバとの間で無線ベアラの設定／解放などの無線リソース制御のためのＲＲＣプロトコル処理（３ＧＰＰ規格：ＴＳ２５．３３１  “Ｒａｄｉｏ  Ｒｅｓｏｕｒｃｅ  Ｃｏｎｔｒｏｌ  （ＲＲＣ）  ｐｒｏｔｏｃｏｌ  ｓｐｅｃｉｆｉｃａｔｉｏｎ”）を行う。ＳＲＮＣ処理部４４は、移動端末のハンドオーバ制御、無線リソース制御（ＲＲＣ）などを行う。ＲＡＮＡＰ処理部４５は、端末対応制御サーバとコアネットワーク内のサービングＧＰＲＳサポートノード（ＳＧＳＮ）５０との間の制御メッセージの送受信を行うＲＡＮＡＰプロトコル処理（３ＧＰＰ規格：ＴＳ２５．４１３  “ＵＴＲＡＮ  Ｉｕ  ｉｎｔｅｒｆａｃｅ  ＲＡＮＡＰ  ｓｉｇｎａｌｌｉｎｇ”）を行う。回線Ｉ／Ｆ部４６は、ＳＧＳＮ５０に接続される外部回線との接続を仲介する。また、回線Ｉ／Ｆ部４７は、端末対応ベアラサーバ１８に接続される外部回線との接続を仲介する。監視・制御部４８は、端末対応制御サーバ１７の監視及び制御を行う。
【００１４】
次に、端末対応ベアラサーバ１８の構成について説明する。回線Ｉ／Ｆ部５１は、セル対応ベアラサーバに接続される外部回線との接続を仲介する。ＡＬＣＡＰ処理部５２は、セル対応ベアラサーバと端末対応ベアラサーバとの間の有線コネクションの設定／解放のためのＡＬＣＡＰプロトコル処理を行う。Ｉｕｒ−ＦＰ処理部５３は、移動端末宛の信号をセル対応ベアラサーバと端末対応ベアラサーバ１８との間で転送するためのＩｕｒ−ＦＰプロトコル処理を行う。ＰＤＣＰ／ＲＬＣ／ＭＡＣ−ｄ処理部５４は、無線レイヤ２のＭＡＣ−ｄ処理（３ＧＰＰ規格：ＴＳ２５．３２１  “Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”）、ＲＬＣ処理（３ＧＰＰ規格：ＴＳ２５．３２２  “Ｒａｄｉｏ  Ｌｉｎｋ  Ｃｏｎｔｒｏｌ  （ＲＬＣ）    ｐｒｏｔｏｃｏｌ  ｓｐｅｃｉｆｉｃａｔｉｏｎ”）、ＰＤＣＰ処理を行う。Ｉｕ−ＦＰ処理部５５は、端末対応ベアラサーバ１８とコアネットワーク内のＳＧＳＮ５０との間で信号を転送するためのＩｕ−ＦＰプロトコル処理（３ＧＰＰ規格：ＴＳ２５．４１５  “ＵＴＲＡＮ  Ｉｕ  ｉｎｔｅｒｆａｃｅ  ｕｓｅｒ  ｐｌａｎｅ  ｐｒｏｔｏｃｏｌｓ”）を行う。回線Ｉ／Ｆ部５６は、ＳＧＳＮ５０に接続される外部回線との接続を仲介する。また、回線Ｉ／Ｆ部５７は、端末対応制御サーバ１７に接続される外部回線との接続を仲介する。監視・制御部５８は、端末対応制御サーバ１８の監視及び制御を行う。
【００１５】
次に、上述した移動通信システムの通信手順について説明する。図７は、従来の移動通信システムの通信手順を示すシーケンス図である。この図において、交点の黒丸は該当する装置を信号が経由していることを示す。ＳＴ６１において、ＵＥ１１は、無線リソース制御のためのＲＲＣコネクションの設定要求を、ＢＳ１２−１、セル対応ベアラサーバ１６−１、セル対応制御サーバ１５−１を介して、端末対応制御サーバ１７に送信する。
【００１６】
端末対応制御サーバ１７は、ＳＴ６２において、ＢＳ１２−１が無線ベアラを設定するための無線リンク設定要求を、セル対応制御サーバ１５−１を介してＢＳ１２−１に送信する。
【００１７】
ＢＳ１２−１は、無線リンク設定要求の内容に従い、無線ベアラの設定を行い、ＳＴ６３において、無線リンク設定応答を、セル対応制御サーバ１５−１を介して、端末対応制御サーバ１７に送信する。
【００１８】
端末対応制御サーバ１７は、ＳＴ６４において、ＲＲＣコネクションを設定するためのＲＲＣコネクション設定指示を、セル対応制御サーバ１５−１、セル対応ベアラサーバ１６−１、ＢＳ１２−１を介してＵＥ１１に送信する。
【００１９】
ＵＥ１１は、ＲＲＣコネクション設定指示の内容に従い、自端末の設定を行い、ＳＴ６５において、ＲＲＣコネクション設定完了を、ＢＳ１２−１、セル対応ベアラサーバ１６−１、端末対応ベアラサーバ１８を介して、端末対応制御サーバ１７に送信する。
【００２０】
さらに、ＵＥ１１は、ＳＴ６６において、コアネットワーク内のＳＧＳＮ５０に対してサービス開始要求を、ＢＳ１２−１、セル対応ベアラサーバ１６−１、端末対応ベアラサーバ１８及び端末対応制御サーバ１７を介して送信する。
【００２１】
ＳＧＳＮ５０は、ＳＴ６７において、ＵＥ１１の認証を行うためのセキュリティ手順を起動し、ＵＥ１１を認証する。
【００２２】
認証が成功した場合、ＵＥ１１は、ＳＴ６８において、コアネットワーク内の通信経路を開設するためのセッション設定要求を、ＢＳ１２−１、セル対応ベアラサーバ１６−１、端末対応ベアラサーバ１８、端末対応制御サーバ１７を介して、ＳＧＳＮ５０に送信する。
【００２３】
ＳＧＳＮ５０は、ＳＴ６９において、ＳＧＳＮ５０とＧＧＳＮ（ゲートウェイＧＰＲＳサポートノード）６０との間の通信経路を開設するためのセッション設定要求を、ＧＧＳＮ６０に送信する。ＧＧＳＮ６０は、ＳＴ７０において、自ノード内の設定を行い、セッション設定応答をＳＧＳＮ５０に送信する。
【００２４】
ＳＧＳＮ５０は、ＳＴ７１において、ＵＥ１１との間でユーザ情報を送受信するための無線ベアラを設定するため、ＲＡＮＡＰプロトコルを用いて、ＲＡＢ（Ｒａｄｉｏ  Ａｃｃｅｓｓ  Ｂｅａｒｅｒ）割り当て要求を端末対応制御サーバ１７に送信する。
【００２５】
端末対応制御サーバ１７は、ＳＴ７２において、ＵＥ１１からの情報の処理を行う端末対応ベアラサーバを選択し、選択した端末対応ベアラサーバ（ここでは、端末対応ベアラサーバ１８とする）に対して、端末対応ベアラサーバ設定要求を行い、端末対応ベアラサーバ１８内のＰＤＰＣ／ＲＬＣ／ＭＡＣ―ｄ処理部５４等の初期設定を行う。端末対応ベアラサーバ１８は、ＳＴ７３において、自ノード内の初期設定を行い、端末対応ベアラサーバ設定応答を、端末対応制御サーバ１７に送信する。
【００２６】
端末対応制御サーバ１７は、ＳＴ７４において、無線ベアラを開設するため、無線リンク再設定準備要求をセル対応制御サーバ１５−１に送信する。
【００２７】
セル対応制御サーバ１５−１は、ＳＴ７５において、ＵＥ１１からの情報の処理を行うセル対応ベアラサーバ１６−１に対して、セル対応ベアラサーバ設定要求を行い、セル対応ベアラサーバ１６−１内のＭＡＣ−ｃ処理部３４等の設定を行う。セル対応ベアラサーバ１６−１は、ＳＴ７６において、自ノード内の設定を行い、セル対応ベアラサーバ設定応答を、セル対応制御サーバ１５−１に送信する。
【００２８】
セル対応制御サーバ１５−１は、ＳＴ７７において、無線ベアラを開設するため、無線リンク再設定準備要求をＢＳ１２−１に送信する。ＢＳ１２−１は、ＳＴ７８において、自ノード内の設定を行い、無線リンク再設定準備完了をセル対応制御サーバ１５−１に送信する。さらに、セル対応制御サーバ１５−１は、無線リンク再設定準備完了を端末対応制御サーバ１７に送信する。
【００２９】
これにより、端末対応制御サーバ１７、セル対応制御サーバ１５−１、端末対応ベアラサーバ１８、セル対応ベアラサーバ１６−１、ＢＳ１２−１のそれぞれにおいて、新しい無線ベアラを開設する準備が整う。
【００３０】
続いて、端末対応制御サーバ１７は、ＳＴ７９において、新しい無線ベアラの開設を指示する無線リンク再設定実行をセル対応制御サーバ１５−１に送信する。さらに、セル対応制御サーバ１５−１は、無線リンク再設定実行をＢＳ１２−１に送信し、新しい無線ベアラ開設の実行を指示する。
【００３１】
端末対応制御サーバ１７は、ＳＴ８０において、ＵＥ１１に新しい無線ベアラの開設を指示するため、ＲＡＢ（Ｒａｄｉｏ  Ａｃｃｅｓｓ  Ｂｅａｒｅｒ）設定指示を、端末対応ベアラサーバ１８、セル対応ベアラサーバ１６−１、ＢＳ１２−１を介して、ＵＥ１１に送信する。ＵＥ１１は、ＳＴ８１において、自端末内の設定を行い、ＲＡＢ設定完了を、ＢＳ１２−１、セル対応ベアラサーバ１６−１、端末対応ベアラサーバ１８を介して、端末対応制御サーバ１７に送信する。
【００３２】
端末対応制御サーバ１７は、ＳＴ８２において、新しい無線ベアラの開設が完了したことを示すＲＡＢ割り当て応答をＳＧＳＮ５０に通知する。これにより、ＳＧＳＮ５０は、ＵＥ１１とＳＧＳＮ５０間の通信経路の開設が完了したことを認識する。
【００３３】
ＳＧＳＮ５０は、ＳＴ８３において、ＳＴ６８でＵＥ１１から要求されたセッション設定要求に対する応答として、セッション設定応答を、端末対応制御サーバ１７、端末対応ベアラサーバ１８、セル対応ベアラサーバ１６−１、ＢＳ１２−１を介して、ＵＥ１１に送信する。
【００３４】
以上の手順により、ＳＴ８４において、ＵＥ１１とＧＧＳＮ６０との間の通信経路の開設が完了し、ＵＥ１１は外部の通信相手端末（ＣＮ）とユーザ情報の送受信を行うことができる。
【００３５】
以上説明した通信手順により、図４に示した従来の移動通信システムにおいて、移動端末と外部の通信相手端末との間でユーザ情報の送受信を行うことができる。
【００３６】
さらに、システム全体の端末数及びトラヒック量が増加した場合は、端末対応制御サーバ、端末対応ベアラサーバを増設する。この場合、ＳＴ６１において、セル対応制御サーバが、増設した端末対応制御サーバを含む複数の端末対応制御サーバから１つを選択すると共に、ＳＴ６２において、端末対応制御サーバが、増設した端末対応ベアラサーバを含む複数の端末対応ベアラサーバから１つを選択することにより、システム全体の端末数及びトラヒック量の増加に柔軟に対応することができる。
【００３７】
【非特許文献１】
清水、他著「ＩＰ  Ｂａｓｅｄ  Ｍｏｂｉｌｅ  Ｎｅｔｗｏｒｋの構想  ＲＡＮ  ＧＷ  アーキテクチャ」２００２年電子情報通信学会総合大会Ｂ−５−２３
【非特許文献２】
ＭＷＩＦ（Ｍｏｂｉｌｅ  Ｗｉｒｅｌｅｓｓ  Ｉｎｔｅｒｎｅｔ  Ｆｏｒｕｍ）「Ｏｐｅｎ  ＲＡＮ  Ａｒｃｈｉｔｅｃｔｕｒｅ」、ＭＴＲ−００７  ｖ１．０．０、２００１年９月、ｐ．４２
【非特許文献３】
３ＧＰＰ「ＵＴＲＡＮ  Ｏｖｅｒａｌｌ  Ｄｅｓｃｒｉｐｔｉｏｎ」、ＴＳ２５．１１  Ｖ３．１０．０、２００２年６月、ｐ．１２
【００３８】
【発明が解決しようとする課題】
しかしながら、上記従来の非特許文献１に開示されている移動通信システムでは、非特許文献３に開示されている無線ネットワーク制御装置（ＲＮＣ）を、セル対応制御サーバ、セル対応ベアラサーバ、端末対応制御サーバ、端末対応ベアラサーバの４種類の装置に実装して構成するため、必要な装置の種類が多くなり、装置毎に監視制御部や回線Ｉ／Ｆ部などを備える必要性からシステムの規模が大きくなるという問題がある。
【００３９】
本発明はかかる点に鑑みてなされたものであり、システム規模の増大を回避する無線ネットワーク制御装置を提供することを目的とする。
【００４０】
【課題を解決するための手段】
かかる課題を解決するため、本発明の無線ネットワーク制御装置は、基地局装置の制御を行う無線ネットワーク制御装置を機能毎に複数の装置に分割した無線ネットワーク制御装置であって、通信端末装置に対応する制御系処理を行う端末対応制御サーバと、前記通信端末装置に対応する通話路系処理を行う端末対応ベアラサーバと、セルに対応する制御系処理及び通話路系処理を単独で行い、通信端末装置からの接続要求を受信すると、前記端末対応ベアラサーバとの間にユーザ情報を転送するための通信経路を設定するセル対応サーバ装置と、を具備する構成を採る。
【００４１】
本発明のセル対応サーバ装置は、セルに対応する制御系処理及び通話路系処理を単独で行い、通信端末装置からの通信開始要求を受信すると、前記通信端末装置に対応する通話路系処理を行う端末対応ベアラサーバとの間にユーザ情報を転送するための通信経路を設定する構成を採る。
【００４２】
これらの構成によれば、セルに対応する制御系処理及び通話路系処理を単独で行うセル対応サーバ装置を設けることにより、セルに対応する制御系処理及び通話路系処理を行うサーバ装置をそれぞれ設ける場合に比べ、各装置間のインタフェースの種類を減少させ、装置毎に設けられる監視制御部や回線Ｉ／Ｆ部などを削減することができるため、システム規模の増大を回避することができる。
【００４３】
本発明の通信方法は、セル対応サーバ装置が通信端末装置からの接続要求を受信する工程と、前記接続要求を受信すると、セルに対応する制御系及び通話路系の処理を行う工程と、前記通信端末装置に対応する通話路系処理を行う端末対応ベアラサーバとの間にユーザ情報を転送するための通信経路を設定する工程と、を具備するようにした。
【００４４】
本発明のプログラムは、セル対応サーバ装置が通信端末装置からの接続要求を受信するステップ、前記接続要求を受信すると、セルに対応する制御系及び通話路系の処理を行うステップ、前記通信端末装置に対応する通話路系処理を行う端末対応ベアラサーバとの間にユーザ情報を転送するための通信経路を設定するステップとしてコンピュータを機能させる。
【００４５】
本発明の記録媒体は、上記のプログラムを記録したコンピュータ読み取り可能な構成を採る。
【００４６】
これらの方法、プログラム及び記録媒体によれば、セル対応サーバ装置がセルに対応する制御系処理及び通話路系処理を行うことから、これらの処理を別々の装置で行う場合に比べ、システム規模を削減することができる。
【００４７】
【発明の実施の形態】
本発明者は、セル単位の無線リソース管理や共通チャネルのＭＡＣ処理については、セル対応制御サーバ及びセル対応ベアラサーバが収容する基地局の最大数、基地局当たりの最大チャネル数などにより、固定的に必要な処理能力が決定される点に着目し、本発明をするに到った。すなわち、本発明の骨子は、セルに対応する制御系処理及び通話路系処理を１つのサーバで行うことである。
【００４８】
（一実施の形態）
図１は、本発明の一実施の形態に係る移動通信システムの構成を示す図である。この図において、ＵＥ（Ｕｓｅｒ  Ｅｑｕｉｐｍｅｎｔ）１０１は移動端末であり、ＢＳ（Ｂａｓｅ  Ｓｔａｔｉｏｎ）１０２−１〜１０２−３、１０３−１〜１０３−３のいずれか又はこれらのうち複数と無線回線を介して通信を行う。ＢＳ１０２−１〜１０２−３及びＢＳ１０３−１〜１０３−３は基地局装置であり、自装置を制御する上位制御装置の制御に従って、自装置の無線ゾーン（以下、セルという）に存在するＵＥと無線通信を行う。
【００４９】
セル対応サーバ１０５−１及び１０５−２は、配下のＢＳの無線リソース管理や新規の無線チャネルの割り当て判定などのセルに対応する制御系の処理と、共通チャネルのためのＭＡＣ―ｃ処理（３ＧＰＰ規格：ＴＳ２５．３２１  “Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”）などセルに対応する通話路系の処理を行う。図１では、セル対応サーバ１０５−１はＢＳ１０２−１〜１０２−３についての処理を行い、セル対応サーバ１０５−２はＢＳ１０３−１〜１０３−３についての処理を行う。
【００５０】
端末対応制御サーバ１０７は、移動端末のハンドオーバ制御や移動端末との間の無線リソース制御（ＲＲＣ）処理などを行う。端末対応ベアラサーバ１０８は、無線レイヤ２のＭＡＣ−ｄ処理（３ＧＰＰ規格：ＴＳ２５．３２１  “Ｍｅｄｉｕｍ  Ａｃｃｅｓｓ  Ｃｏｎｔｒｏｌ  （ＭＡＣ）  ｐｒｏｔｏｃｏｌ  ｓｐｅｃｉｆｉｃａｔｉｏｎ”）、ＲＬＣ処理（３ＧＰＰ規格：ＴＳ２５．３２２  “Ｒａｄｉｏ  Ｌｉｎｋ  Ｃｏｎｔｒｏｌ  （ＲＬＣ）  ｐｒｏｔｏｃｏｌ  ｓｐｅｃｉｆｉｃａｔｉｏｎ”）、ＰＤＣＰ処理（３ＧＰＰ規格：ＴＳ２５．３２３  “Ｐａｃｋｅｔ  Ｄａｔａ  Ｃｏｎｖｅｒｇｅｎｃｅ  Ｐｒｏｔｏｃｏｌ  （ＰＤＣＰ）  ｓｐｅｃｉｆｉｃａｔｉｏｎ”）などを行う。
【００５１】
図２は、セル対応サーバ１０５−１の内部構成を示すブロック図である。セル対応サーバ１０５−１及び１０５−２の構成は同一なので、ここではセル対応サーバ１０５−１についてのみ説明する。ＣＲＮＣ処理部２０１は、配下のＢＳの拡散コードや送信電力、干渉量などの無線リソース管理、無線チャネルの割当て判定などの制御系処理を行う。
【００５２】
ＮＢＡＰ処理部２０２は、ＢＳとセル対応サーバとの間の制御メッセージの送受信を行うためのＮＢＡＰプロトコル処理（３ＧＰＰ規格：ＴＳ２５．４３３  “ＵＴＲＡＮ  Ｉｕｂ  ｉｎｔｅｒｆａｃｅ  ＮＢＡＰ  ｓｉｇｎａｌｉｎｇ”）を行う。
【００５３】
ＲＮＳＡＰ処理部２０３は、セル対応サーバと端末対応制御サーバとの間の制御メッセージの送受信を行うＲＮＳＡＰプロトコル処理（３ＧＰＰ規格：ＴＳ２５．４２３  “ＵＴＲＡＮ  Ｉｕｒ  ｉｎｔｅｒｆａｃｅ  ＲＮＳＡＰ  ｓｉｇｎａｌｌｉｎｇ”）を行う。
【００５４】
ＭＡＣ−ｃ処理部２０４は、無線区間上の共通チャネルに対応した通話路系処理であるＭＡＣ―ｃ処理を行う。
【００５５】
Ｉｕｂ−ＦＰ処理部２０５は、移動端末宛の信号をＢＳとセル対応サーバとの間で転送するためのＩｕｂ−ＦＰプロトコル処理（３ＧＰＰ規格：ＴＳ２５．４３４  “ＵＴＲＡＮＩｕｂ  ｉｎｔｅｒｆａｃｅ  ｄａｔａ  ｔｒａｎｓｐｏｒｔ  ＆  ｔｒａｎｓｐｏｒｔ  ｓｉｇｎａｌｌｉｎｇ  ｆｏｒ  ＣＣＨ  ｄａｔａ  ｓｔｒｅａｍｓ”、ＴＳ２５．４２６  “ＵＴＲＡＮ  Ｉｕｒ  ａｎｄ  Ｉｕｂ  ｉｎｔｅｒｆａｃｅ  ｄａｔａ  ｔｒａｎｓｐｏｒｔ  ＆  ｔｒａｎｓｐｏｒｔ  ｓｉｇｎａｌｌｉｎｇ  ｆｏｒ  ＤＣＨ  ｄａｔａ  ｓｔｒｅａｍｓ”）を行う。
【００５６】
Ｉｕｒ−ＦＰ処理部２０６は、移動端末宛の信号をセル対応サーバと端末対応ベアラサーバとの間で転送するためのＩｕｒ−ＦＰプロトコル処理（３ＧＰＰ規格：３ＧＰＰ規格：ＴＳ２５．４２５  “ＵＴＲＡＮ  Ｉｕｒ  ｉｎｔｅｒｆａｃｅ  ｕｓｅｒ  ｐｌａｎｅ  ｐｒｏｔｏｃｏｌｓ  ｆｏｒ  ＣＣＨ  ｄａｔａ  ｓｔｒｅａｍｓ”、ＴＳ２５．４２６  “ＵＴＲＡＮ  Ｉｕｒ  ａｎｄ  Ｉｕｂ  ｉｎｔｅｒｆａｃｅ  ｄａｔａ  ｔｒａｎｓｐｏｒｔ  ＆  ｔｒａｎｓｐｏｒｔ  ｓｉｇｎａｌｌｉｎｇ  ｆｏｒ  ＤＣＨ  ｄａｔａ  ｓｔｒｅａｍｓ”）を行う。
【００５７】
ＡＬＣＡＰ処理部２０７は、ＢＳとセル対応サーバ間の有線コネクションの設定／解放のためのＡＬＣＡＰプロトコル処理（ＩＴＵ−Ｔ勧告：Ｑ．２６３０．１  “ＡＡＬ  ｔｙｐｅ２  ｓｉｇｎａｌｉｎｇ  ｐｒｏｔｏｃｏｌ  （Ｃａｐａｂｉｌｉｔｙ  Ｓｅｔ  １）”）を行う。
【００５８】
回線Ｉ／Ｆ部２０８は、ＢＳ側に接続される外部回線との接続を仲介する。また、回線Ｉ／Ｆ部２０９は、端末対応制御サーバ１０７及び端末対応ベアラサーバ１０８に接続される外部回線との接続を仲介する。監視・制御部２１０は、セル対応サーバ１０５−１の監視及び制御を行う。
【００５９】
このようにセル対応サーバ１０５−１は、従来のセル対応制御サーバが行っていたセルに対応する制御系の処理と、セル対応ベアラサーバが行っていたセルに対応する通話路系の処理とを行う。
【００６０】
なお、端末対応制御サーバ１０７及び端末対応ベアラサーバ１０８の構成は、図６に示した従来の構成と同一であるため、ここでは説明を省略する。
【００６１】
次に、上述した移動通信システムの通信手順について説明する。図３は、本発明の一実施の形態に係る移動通信システムの通信手順を示すシーケンス図である。この図において、交点の黒丸は該当する装置を信号が経由していることを示す。ＳＴ３０１において、ＵＥ１０１は、無線リソース制御のためのＲＲＣコネクションの設定要求を、ＢＳ１０２−１、セル対応サーバ１０５−１のＭＡＣ−ｃ処理部２０４、ＣＲＮＣ処理部２０１、ＲＮＳＡＰ処理部２０３を介して、端末対応制御サーバ１０７に送信する。
【００６２】
端末対応制御サーバ１０７は、ＳＴ３０２において、ＵＥ１０１とＢＳ１０２−１との間の無線ベアラを設定するための無線リンク設定要求を、セル対応サーバ１０５−１のＲＮＳＡＰ処理部２０３を介して、ＣＲＮＣ処理部２０１に送信する。ＣＲＮＣ処理部２０１は、無線リンク設定要求を、ＮＢＡＰ処理部２０２を介してＢＳ１０２−１に送信する。
【００６３】
ＢＳ１０２−１は、無線リンク設定要求の内容に従い、無線ベアラの設定を行い、ＳＴ３０３において、無線リンク設定応答を、セル対応サーバ１０５−１のＮＢＡＰ処理部２０２を介してＣＲＮＣ処理部２０１に送信する。さらに、ＣＲＮＣ処理部２０１は、ＲＮＳＡＰ処理部２０３を介して、端末対応制御サーバ１０７に送信する。
【００６４】
端末対応制御サーバ１０７は、ＳＴ３０４において、ＲＲＣコネクションの設定指示を、セル対応サーバ１０５−１のＲＮＳＡＰ処理部２０３、ＣＲＮＣ処理部２０１、ＭＡＣ−ｃ処理部２０４、Ｉｕｂ−ＦＰ処理部２０５、ＢＳ１０２−１を介して、ＵＥ１０１に送信する。
【００６５】
ＵＥ１０１は、ＲＲＣコネクション設定指示の内容に従い、自端末の設定を行い、ＳＴ３０５において、ＲＲＣコネクションの設定完了を、ＢＳ１０２−１、セル対応サーバ１０５−１のＩｕｂ−ＦＰ処理部２０５、ＭＡＣ−ｃ処理部２０４を介して、端末対応制御サーバ１０７に送信する。
【００６６】
さらに、ＵＥ１０１は、ＳＴ３０６において、コアネットワーク内のサービングＧＰＲＳサポートノード（ＳＧＳＮ）１０９に対してサービス開始要求を、ＢＳ１０２−１、セル対応サーバ１０５−１のＩｕｂ−ＦＰ処理部２０５、ＭＡＣ−ｃ処理部２０４、ＣＲＮＣ２０１、ＲＮＳＡＰ処理部２０３、端末対応ベアラサーバ１０８及び端末対応制御サーバ１０７を介して送信する。
【００６７】
ＳＧＳＮ１０９は、ＳＴ３０７において、ＵＥ１０１の認証を行うためのセキュリティ手順を起動し、ＵＥ１０１を認証する。
【００６８】
認証に成功した場合、ＵＥ１０１は、ＳＴ３０８において、コアネットワーク内の通信経路を開設するためのセッション設定要求を、ＢＳ１０２−１、セル対応サーバ１０５−１のＩｕｂ−ＦＰ処理部２０５、ＭＡＣ−ｃ処理部２０４、Ｉｕｒ−ＦＰ処理部２０６、端末対応ベアラサーバ１０８、端末対応制御サーバ１０７を介して、ＳＧＳＮ１０９に送信する。
【００６９】
ＳＧＳＮ１０９は、ＳＴ３０９において、ＳＧＳＮ１０９とゲートウェイＧＰＲＳサポートノード（ＧＧＳＮ）１１０との間の通信経路を開設するためのセッション設定要求を、ＧＧＳＮ１１０に送信する。ＧＧＳＮ１１０は、ＳＴ３１０において、自ノード内の設定を行い、セッション設定応答をＳＧＳＮ１０９に返送する。
【００７０】
ＳＧＳＮ１０９は、ＳＴ３１１において、ＵＥ１０１との間で情報を送受信するための無線ベアラを設定するためのＲＡＢ（Ｒａｄｉｏ  Ａｃｃｅｓｓ  Ｂｅａｒｅｒ）割り当て要求を、端末対応制御サーバ１０７に送信する。
【００７１】
端末対応制御サーバ１０７は、ＳＴ３１２において、移動端末からの情報の処理を行う端末対応ベアラサーバを選択し、選択した端末対応ベアラサーバ（ここでは、端末対応ベアラサーバ１０８とする）に対して端末対応ベアラサーバ設定要求を行い、端末対応ベアラサーバ１０８内のＰＤＰＣ／ＲＬＣ／ＭＡＣ―ｄ処理部などの設定を行う。端末対応ベアラサーバ１０８は、ＳＴ３１３において、自ノード内の設定を行い、端末対応ベアラサーバ設定応答を、端末対応制御サーバ１０７に送信する。
【００７２】
端末対応制御サーバ１０７は、ＳＴ３１４において、無線ベアラを開設するため、無線リンク再設定準備要求を、セル対応サーバ１０５−１のＲＮＳＡＰ処理部２０３を介して、ＣＲＮＣ処理部２０１に送信する。さらに、ＣＲＮＣ処理部２０１は、無線ベアラを開設するため、無線リンク再設定準備要求を、ＮＢＡＰ処理部２０２を介して、ＢＳ１０２−１に送信する。
【００７３】
ＢＳ１０２−１は、ＳＴ３１５において、自ノード内の設定を行い、無線リンク再設定準備完了を、セル対応サーバ１０５−１のＮＢＡＰ処理部２０２を介して、ＣＲＮＣ処理部２０１に送信する。さらに、ＣＲＮＣ処理部２０１は、無線リンク再設定準備完了を、ＲＮＳＡＰ処理部２０３を介して、端末対応サーバ１０７に送信する。
【００７４】
これにより、端末対応制御サーバ１０７は、セル対応サーバ１０５−１、端末対応ベアラサーバ１０８、ＢＳ１０２−１において、新しい無線ベアラを開設する準備が整ったことを認識する。
【００７５】
続いて、端末対応制御サーバ１０７は、ＳＴ３１６において、新しい無線ベアラの開設を指示するため、無線リンク再設定実行を、セル対応サーバ１０５−１のＲＮＳＡＰ処理部２０３を介して、ＣＲＮＣ処理部２０１に送信する。さらに、ＣＲＮＣ処理部２０１は、無線リンク再設定実行を、ＮＢＡＰ処理部２０２を介して、ＢＳ１０２−１に送信し、新しい無線ベアラ開設の実行を指示する。
【００７６】
端末対応制御サーバ１０７は、ＳＴ３１７において、ＵＥ１０１に新しい無線ベアラの開設を指示するため、ＲＡＢ（Ｒａｄｉｏ  Ａｃｃｅｓｓ  Ｂｅａｒｅｒ）設定指示を、端末対応ベアラサーバ１０８、セル対応サーバ１０５−１のＩｕｒ−ＦＰ処理部２０６、ＭＡＣ−ｃ処理部２０４、Ｉｕｂ−ＦＰ処理部２０５、ＢＳ１０２−１を介して、ＵＥ１０１に送信する。ＵＥ１０１は、ＳＴ３１８において、自ノード内の設定を行い、ＲＡＢ設定完了を、ＢＳ１０２−１、セル対応サーバ１０５−１のＩｕｂ−ＦＰ処理部２０５、ＭＡＣ−ｃ処理部２０４、Ｉｕｒ−ＦＰ処理部２０６、端末対応ベアラサーバ１０８を介して、端末対応制御サーバ１０７に送信する。
【００７７】
端末対応制御サーバ１０７は、ＳＴ３１９において、新しい無線ベアラの開設が完了したことをＲＡＢ割り当て応答により、ＳＧＳＮ１０９に通知する。これにより、ＳＧＳＮ１０９は、ＵＥ１０１とＳＧＳＮ１０９との間で通信経路の開設が完了したことを認識する。
【００７８】
ＳＧＳＮ１０９は、ＳＴ３２０において、ＳＴ３０８でＵＥ１０１から要求されたセッション設定要求に対する応答として、セッション設定応答を、端末対応制御サーバ１０７、端末対応ベアラサーバ１０８、セル対応サーバ１０５−１のＩｕｒ−ＦＰ処理部２０６、ＭＡＣ−ｃ処理部２０４、Ｉｕｂ−ＦＰ処理部２０５、ＢＳ１０２−１を介して、ＵＥ１０１に送信する。
【００７９】
以上の手順により、ＳＴ３２１において、ＵＥ１０１とＧＧＳＮ１１０との間の通信経路の開設が完了し、ＵＥ１０１は、外部の通信相手端末（ＣＮ）とユーザ情報の送受信を行うことができる。
【００８０】
以上説明した通信手順により、図１に示した本発明の移動通信システムにおいて、移動端末と、外部の通信相手端末との間でユーザ情報の送受信を行うことができる。
【００８１】
なお、システム全体の端末数及びトラヒック量が増加した場合、端末対応制御サーバ、端末対応ベアラサーバを増設する。この場合、ＳＴ３０１において、セル対応制御サーバが、増設した端末対応制御サーバを含む複数の端末対応制御サーバから１つを選択すると共に、ＳＴ３１２において、端末対応制御サーバが、増設した端末対応ベアラサーバを含む複数の端末対応ベアラサーバから１つを選択する。このように、システム全体の端末数及びトラヒック量の増加に柔軟に対応することができる。
【００８２】
このように本実施の形態によれば、収容する移動端末の数量やトラヒック量に応じて、端末対応制御サーバ及び端末対応ベアラサーバを増減設できる利点を残しつつ、制御系の処理及び通話路系の処理を行うセル対応サーバを設けることにより、各装置間のインタフェースの種類を減少させ、装置毎に設けられる監視制御部や回線Ｉ／Ｆ部などを削減することができるため、システム規模の増大を回避することができる。
【００８３】
なお、本発明は、当業者に明らかなように、上記実施の形態に記載した技術に従ってプログラムされた一般的な市販のデジタルコンピュータおよびマイクロプロセッサを使って実施することができる。また、当業者に明らかなように、本発明は、上記実施の形態に記載した技術に基づいて当業者により作成されるソフトウエアを包含する。
【００８４】
また、本発明を実施するコンピュータをプログラムするために使用できる命令を含む記録媒体であるコンピュータプログラム製品が本発明の範囲に含まれる。この記録媒体は、フロッピー（Ｒ）ディスク、光ディスク、ＣＤＲＯＭおよび磁気ディスク等のディスク、ＲＯＭ、ＲＡＭ、ＥＰＲＯＭ、ＥＥＰＲＯＭ、磁気又は光カード等であるが、特にこれらに限定されるものではない。
【００８５】
【発明の効果】
以上説明したように、本発明によれば、システム全体の移動端末数やトラヒック量に応じて、端末に対応する制御系又は通話路系の処理を行う装置を柔軟に増減設しつつ、セルに対応する制御系処理及び通話路系処理を１つのサーバで行うことにより、移動通信システムを構築する際に必要となる装置の種類を低減し、システム規模を削減することができる。
【図面の簡単な説明】
【図１】本発明の一実施の形態に係る移動通信システムの構成を示す図
【図２】セル対応サーバの内部構成を示すブロック図
【図３】本発明の一実施の形態に係る移動通信システムの通信手順を示すシーケンス図
【図４】従来の移動通信システムの構成を示す図
【図５】セル対応制御サーバ及びセル対応ベアラサーバの内部構成を示すブロック図
【図６】端末対応制御サーバ及び端末対応ベアラサーバの内部構成を示すブロック図
【図７】従来の移動通信システムの通信手順を示すシーケンス図
【符号の説明】
１０１  ＵＥ
１０２−１〜１０２−３、１０３１〜１０３−３  ＢＳ
１０５−１、１０５−２  セル対応サーバ
１０７  端末対応制御サーバ
１０８  端末対応ベアラサーバ
２０１  ＣＲＮＣ処理部
２０２  ＮＢＡＰ処置部
２０３  ＲＮＳＡＰ処理部
２０４  ＭＡＣ−ｃ処理部
２０５  Ｉｕｂ−ＦＰ処理部
２０６  Ｉｕｒ−ＦＰ処理部
２０７  ＡＬＣＡＰ処理部
２０８、２０９  回線Ｉ／Ｆ部
２１０  監視・制御部
【図１】
2004241897.tif 000003
【図２】
2004241897.tif 000004
【図３】
2004241897.tif 000005
【図４】
2004241897.tif 000006
【図５】
2004241897.tif 000007
【図６】
2004241897.tif 000008
【図７】
2004241897.tif 000009